【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】
ＩＣカードを閉塞・活性化するための鍵情報を生成し、ＩＣカードを電子的に閉塞する工程と、
前記ＩＣカードの種別情報を検出または設定する工程と、
検出または設定した前記ＩＣカードの種別情報により前記鍵情報を生成または選択し、前記生成または選択された鍵情報により前記ＩＣカードを電子的に活性化して電子情報記録及び券面印刷を行なう工程を
有することを特徴とするＩＣカード発行方法。
【請求項２】   
ＩＣカードを閉塞・活性化するための鍵情報を生成し、ＩＣカードを電子的に閉塞する工程と、
前記ＩＣカードをＩＣカードマガジンに充填し密閉する工程と、
前記ＩＣカードマガジンに少なくとも前記ＩＣカードの種別情報を記録する工程と、
前記ＩＣカードマガジンを前記ＩＣカードに電子情報記録及び券面印刷を行なう発行機に装填し前記ＩＣカードの種別情報を検出または設定する工程と、
検出した前記ＩＣカードの種別情報より鍵情報を生成または選択し、前記生成または選択されたＩＣカードを電子的に活性化して電子情報記録及び券面印刷を行なう工程を
有することを特徴とするＩＣカード発行方法。
【請求項３】     
前記ＩＣカードの種別情報を有する情報から生成または選択された鍵情報と、発行機に有する鍵情報の照合を行なう照合工程を有し、同一性を検出したＩＣカードについて、鍵情報を用いて前記ＩＣカードを活性化し電子情報記録及び券面印刷を行なうことを特徴とする請求項1または請求項2に記載のＩＣカード発行方法。
【請求項４】   
前記ＩＣカードの種別情報が、製造年月日・製造ロット・製造場所・カード種類からなるカード製造情報から選ばれる情報であることを特徴とする請求項１乃至請求項３のいずれか１項に記載のＩＣカード発行方法。
【請求項５】   
電子情報記録及び券面印刷を行なってＩＣカードを発行するＩＣカード発行装置であって、
予め鍵情報により閉塞処理が行なわれたＩＣカードを発行機へセットするＩＣカードセット手段と、
少なくとも前記ＩＣカードの種別情報を有する情報から鍵情報を生成または選択する鍵情報生成・選択手段と、
前記生成または選択された鍵情報によりＩＣカードを電子的に活性化するカード活性化手段と、
前記活性化されたＩＣカードに電子情報記録を行なう記録手段と、
前記ＩＣカードに券面印刷行なう印刷手段とを
有することを特徴とするＩＣカード発行装置。
【請求項６】   
前記ＩＣカードセット手段が、ＩＣカードを収納したＩＣカードマガジンを装填する手段であることを特徴とる請求項5に記載のＩＣカード発行装置。
【請求項７】   
前記ＩＣカードの種別情報が、製造年月日・製造ロット・製造場所・カード種類からなるカード製造情報から選ばれる情報であることを特徴とする請求項５または請求項６に記載のＩＣカード発行装置。
【請求項８】
電子情報記録及び券面印刷を行なってＩＣカードを発行するＩＣカード発行システムであって、
予め鍵情報により閉塞情報が行われたＩＣカードを発行機へセットするＩＣカードセット手段と、
少なくとも前記ＩＣカードの種別情報を有する情報から鍵情報を新たに生成または選択する鍵情報生成・選択手段と、
前記生成または選択された鍵情報によりＩＣカードを電子的に活性化するカード活性化手段と、
前記活性化されたＩＣカードに電子情報記録を行なう記録手段と、
前記ＩＣカードに券面印刷を行なう印刷手段とを
有することを特徴とするＩＣカード発行システム。
【請求項９】
前記ＩＣカードセット手段に、前記ＩＣカードの種別情報を記録したＩＣカードマガジンが装填されたことを特徴とする請求項８に記載のＩＣカード発行システム。
【請求項１０】
前記ＩＣカードの種別情報を有する情報から生成または選択された鍵情報と、発行機に有する鍵情報の照合を行なう処理手段を有し、この処理手段で前記生成または選択された鍵情報と前記発行機に有する鍵情報との同一性を検出したＩＣカードについて、鍵情報を用いて前記ＩＣカードを活性化し電子情報記録及び券面印刷を行なうことを特徴とする請求項８または請求項９に記載のＩＣカード発行システム。
【請求項１１】
前記ＩＣカードの種別情報が、製造年月日・製造ロット・製造場所・カード種類からなるカード製造情報一部の少なくとも１から選ばれる情報であることを特徴とする請求項８乃至請求項１０のいずれか１項に記載のＩＣカード発行システム。
【手続補正２】
【補正対象書類名】明細書
【補正対象項目名】０００１
【補正方法】変更
【補正の内容】
【０００１】
【発明の属する技術分野】
この発明は、偽造、変造防止等の安全性（セキュリティ）が要求される個人情報等を記憶するＩＣチップ及びアンテナを有するＩＣモジュールを内蔵する非接触式の電子カードシステムに適用して好適なＩＣカード発行方法、ＩＣカード発行装置及びＩＣカード発行システムに関する。
【手続補正３】
【補正対象書類名】明細書
【補正対象項目名】００１０
【補正方法】変更
【補正の内容】
【００１０】
この発明では、このようなセキュリティ性を改善し、なお且つ製造効率を高い次元で改善することが可能なＩＣカード発行方法、ＩＣカード発行装置及びＩＣカード発行システムを提供することを目的としている。
【手続補正４】
【補正対象書類名】明細書
【補正対象項目名】００１２
【補正方法】変更
【補正の内容】
【００１２】
請求項１に記載の発明は、ＩＣカードを閉塞・活性化するための鍵情報を生成し、ＩＣカードを電子的に閉塞する工程と、
前記ＩＣカードの種別情報を検出または設定する工程と、
検出または設定した前記ＩＣカードの種別情報により前記鍵情報を生成または選択し、前記生成または選択された鍵情報により前記ＩＣカードを電子的に活性化して電子情報記録及び券面印刷を行なう工程を
有することを特徴とするＩＣカード発行方法である。
【手続補正５】
【補正対象書類名】明細書
【補正対象項目名】００１３
【補正方法】変更
【補正の内容】
【００１３】
この請求項１に記載の発明によれば、ＩＣカードのみが盗難、流出しても、ＩＣカードの種別情報がなければ、ＩＣカードを活性化できず、２次発行を行うことができないためセキュリティ性が向上する。
【手続補正６】
【補正対象書類名】明細書
【補正対象項目名】００１４
【補正方法】変更
【補正の内容】
【００１４】
請求項２に記載の発明は、ＩＣカードを閉塞・活性化するための鍵情報を生成し、ＩＣカードを電子的に閉塞する工程と、
前記ＩＣカードをＩＣカードマガジンに充填し密閉する工程と、
前記ＩＣカードマガジンに少なくとも前記ＩＣカードの種別情報を記録する工程と、
前記ＩＣカードマガジンを前記ＩＣカードに電子情報記録及び券面印刷を行なう発行機に装填し前記ＩＣカードの種別情報を検出または設定する工程と、
検出した前記ＩＣカードの種別情報より鍵情報を生成または選択し、前記生成または選択されたＩＣカードを電子的に活性化して電子情報記録及び券面印刷を行なう工程を
有することを特徴とするＩＣカード発行方法である。
【手続補正７】
【補正対象書類名】明細書
【補正対象項目名】００１５
【補正方法】変更
【補正の内容】
【００１５】
この請求項２に記載の発明によれば、ＩＣカードのみが盗難、流出しても、ＩＣカードを梱包したＩＣカードマガジンに記録されているＩＣカードの種別情報がなければ、ＩＣカードを活性化できず、２次発行を行うことができないためセキュリティ性が向上する。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項３に記載の発明は、前記ＩＣカードの種別情報を有する情報から生成または選択された鍵情報と、発行機に有する鍵情報の照合を行なう照合工程を有し、同一性を検出したＩＣカードについて、鍵情報を用いて前記ＩＣカードを活性化し電子情報記録及び券面印刷を行なうことを特徴とする請求項1または請求項2に記載のＩＣカード発行方法である。
【手続補正１０】
【補正対象書類名】明細書
【補正対象項目名】００１８
【補正方法】変更
【補正の内容】
【００１８】
この請求項３に記載の発明によれば、ＩＣカードのみが盗難、流出しても、ＩＣカードの種別情報がなければ、ＩＣカードを活性化できず、２次発行を行うことができないためセキュリティ性が向上する。また、発行するための鍵情報が、ある製造日時より変更になったり、製造ｌｏｔが変更になったり、仕向先が変更になったり等した場合にも、発行機での関数の変更により、照合が可能になるため、生産性が飛躍的に向上するとともに、ＩＣカードの種別情報、鍵を解除する情報、演算の情報、及びＩＣカードの４点を同時に入手しなければ、閉塞されたＩＣカードを活性化することができないため、セキュリティ性が飛躍的に向上する。
【手続補正１１】
【補正対象書類名】明細書
【補正対象項目名】００１９
【補正方法】変更
【補正の内容】
【００１９】
請求項４に記載の発明は、前記ＩＣカードの種別情報が、製造年月日・製造ロット・製造場所・カード種類からなるカード製造情報から選ばれる情報であることを特徴とする請求項１乃至請求項３のいずれか１項に記載のＩＣカード発行方法である。
【手続補正１２】
【補正対象書類名】明細書
【補正対象項目名】００２０
【補正方法】変更
【補正の内容】
【００２０】
この請求項４に記載の発明によれば、ＩＣカードの種別情報が、製造年月日・製造ロット・製造場所・カード種類からなるカード製造情報から選ばれる情報であることが好ましい。
【手続補正１３】
【補正対象書類名】明細書
【補正対象項目名】００２１
【補正方法】変更
【補正の内容】
【００２１】
請求項５に記載の発明は、電子情報記録及び券面印刷を行なってＩＣカードを発行するＩＣカード発行装置であって、
予め鍵情報により閉塞処理が行なわれたＩＣカードを発行機へセットするＩＣカードセット手段と、
少なくとも前記ＩＣカードの種別情報を有する情報から鍵情報を生成または選択する鍵情報生成・選択手段と、
前記生成または選択された鍵情報によりＩＣカードを電子的に活性化するカード活性化手段と、
前記活性化されたＩＣカードに電子情報記録を行なう記録手段と、
前記ＩＣカードに券面印刷行なう印刷手段とを
有することを特徴とするＩＣカード発行装置である。
【手続補正１４】
【補正対象書類名】明細書
【補正対象項目名】００２２
【補正方法】変更
【補正の内容】
【００２２】
この請求項５に記載の発明によれば、予め鍵情報により閉塞処理が行なわれたＩＣカードを発行機へセットし、ＩＣカードの種別情報を有する情報から鍵情報を生成または選択し、生成または選択された鍵情報によりＩＣカードを電子的に活性化し、活性化されたＩＣカードに電子情報記録を行ない、ＩＣカードに券面印刷行なうことで、セキュリティ性を改善し、なお且つ製造効率を高い次元で改善することが可能である。
【手続補正１５】
【補正対象書類名】明細書
【補正対象項目名】００２３
【補正方法】変更
【補正の内容】
【００２３】
請求項６に記載の発明は、前記ＩＣカードセット手段が、ＩＣカードを収納したＩＣカードマガジンを装填する手段であることを特徴とる請求項5に記載のＩＣカード発行装置である。
【手続補正１６】
【補正対象書類名】明細書
【補正対象項目名】００２４
【補正方法】変更
【補正の内容】
【００２４】
この請求項６に記載の発明によれば、装填したＩＣカードマガジンより記録されたＩＣカードの種別情報を有する情報から鍵情報を生成または選択し、生成または選択された鍵情報によりＩＣカードを電子的に活性化し、活性化されたＩＣカードに電子情報記録を行ない、ＩＣカードに券面印刷行なうことで、セキュリティ性を改善し、なお且つ製造効率を高い次元で改善することが可能である。
【手続補正１７】
【補正対象書類名】明細書
【補正対象項目名】００２５
【補正方法】変更
【補正の内容】
【００２５】
請求項７に記載の発明は、前記ＩＣカードの種別情報が、製造年月日・製造ロット・製造場所・カード種類からなるカード製造情報から選ばれる情報であることを特徴とする請求項５または請求項６に記載のＩＣカード発行装置である。
【手続補正１８】
【補正対象書類名】明細書
【補正対象項目名】００２６
【補正方法】変更
【補正の内容】
【００２６】
この請求項７に記載の発明によれば、ＩＣカードの種別情報が、製造年月日・製造ロット・製造場所・カード種類からなるカード製造情報から選ばれる情報であることが好ましい。
【手続補正１９】
【補正対象書類名】明細書
【補正対象項目名】００２７
【補正方法】変更
【補正の内容】
【００２７】
請求項８に記載の発明は、電子情報記録及び券面印刷を行なってＩＣカードを発行するＩＣカード発行システムであって、
予め鍵情報により閉塞情報が行われたＩＣカードを発行機へセットするＩＣカードセット手段と、
少なくとも前記ＩＣカードの種別情報を有する情報から鍵情報を新たに生成または選択する鍵情報生成・選択手段と、
前記生成または選択された鍵情報によりＩＣカードを電子的に活性化するカード活性化手段と、
前記活性化されたＩＣカードに電子情報記録を行なう記録手段と、
前記ＩＣカードに券面印刷を行なう印刷手段とを
有することを特徴とするＩＣカード発行システムである。
【手続補正２０】
【補正対象書類名】明細書
【補正対象項目名】００２８
【補正方法】変更
【補正の内容】
【００２８】
この請求項８に記載の発明によれば、予め鍵情報により閉塞情報が行われたＩＣカードを発行機へセットし、少なくともＩＣカードの種別情報を有する情報から鍵情報を新たに生成または選択し、生成または選択された鍵情報によりＩＣカードを電子的に活性化し、活性化されたＩＣカードに電子情報記録を行ない、ＩＣカードに券面印刷を行うことで、ＩＣカードの鍵情報に加え、ＩＣカードの種別情報と、発行機内で生成、選択を行う鍵情報との３種の照合確認がなければ、ＩＣカードの２次発行が行われず、飛躍的にセキュリティ性が向上し、製造効率を高い次元で改善することができる。
【手続補正２１】
【補正対象書類名】明細書
【補正対象項目名】００２９
【補正方法】変更
【補正の内容】
【００２９】
請求項９に記載の発明は、前記ＩＣカードセット手段に、前記ＩＣカードの種別情報を記録したＩＣカードマガジンが装填されたことを特徴とする請求項８に記載のＩＣカード発行システムである。
【手続補正２２】
【補正対象書類名】明細書
【補正対象項目名】００３０
【補正方法】変更
【補正の内容】
【００３０】
この請求項９に記載の発明によれば、ＩＣカードセット手段に、ＩＣカードの種別情報を記録したＩＣカードマガジンが装填されるだけで、ＩＣカードの鍵情報を選択、又は生成するため、発行機による発行作業によって、カード種類や発行鍵の設定ミスがなくなり、生産性が飛躍的に向上する。
【手続補正２３】
【補正対象書類名】明細書
【補正対象項目名】００３１
【補正方法】変更
【補正の内容】
【００３１】
請求項１０に記載の発明は、前記ＩＣカードの種別情報を有する情報から生成または選択された鍵情報と、発行機に有する鍵情報の照合を行なう処理手段を有し、この処理手段で前記生成または選択された鍵情報と前記発行機に有する鍵情報との同一性を検出したＩＣカードについて、鍵情報を用いて前記ＩＣカードを活性化し電子情報記録及び券面印刷を行なうことを特徴とする請求項８または請求項９に記載のＩＣカード発行システムである。
【手続補正２４】
【補正対象書類名】明細書
【補正対象項目名】００３２
【補正方法】変更
【補正の内容】
【００３２】
この請求項１０に記載の発明によれば、前記ＩＣカードの種別情報を有する情報から生成または選択された鍵情報と、発行機に有する鍵情報の照合を行ない、生成または選択された鍵情報と発行機に有する鍵情報との同一性を検出したＩＣカードについて、鍵情報を用いてＩＣカードを活性化し電子情報記録及び券面印刷を行なうから、ＩＣカードのみが盗難、流出しても、ＩＣカードの種別情報がなければ、ＩＣカードを活性化できず、２次発行を行うことができないためセキュリティ性が向上する。また、発行するための鍵情報が、ある製造日時より変更になったり、製造ｌｏｔが変更になったり、仕向先が変更になったり等した場合にも、発行機での関数の変更により、照合が可能になるため、生産性が飛躍的に向上するとともに、ＩＣカードの種別情報、鍵を解除する情報、演算の情報、及びＩＣカードの４点を同時に入手しなければ、閉塞されたＩＣカードを活性化することができないため、セキュリティ性が飛躍的に向上する。
【手続補正２５】
【補正対象書類名】明細書
【補正対象項目名】００３３
【補正方法】変更
【補正の内容】
【００３３】
請求項１１に記載の発明は、前記ＩＣカードの種別情報が、製造年月日・製造ロット・製造場所・カード種類からなるカード製造情報一部の少なくとも１から選ばれる情報であることを特徴とする請求項８乃至請求項１０のいずれか１項に記載のＩＣカード発行システムである。
【手続補正２６】
【補正対象書類名】明細書
【補正対象項目名】００３４
【補正方法】変更
【補正の内容】
【００３４】
この請求項１１に記載の発明によれば、ＩＣカードの種別情報が、製造年月日・製造ロット・製造場所・カード種類からなるカード製造情報一部の少なくとも１から選ばれる情報であることが好ましい。
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】変更
【補正の内容】
【００３７】
【発明の実施の形態】
以下、この発明のＩＣカード発行方法、ＩＣカード発行装置及びＩＣカード発行システムの実施の形態を図面に基づいて詳細に説明するが、この発明は、この実施の形態に限定されない。また、この発明の実施の形態は、発明の最も好ましい形態を示すものであり、この発明の用語はこれに限定されない。
【手続補正３０】
【補正対象書類名】明細書
【補正対象項目名】００５８
【補正方法】変更
【補正の内容】
【００５８】
【発明の効果】
前記したように、請求項１乃至請求項１１に記載の発明では、ＩＣカードの鍵情報に加え、ＩＣカードの種別情報と、発行機内で生成、選択を行う鍵情報との３種の照合確認がなければ、ＩＣカードの２次発行が行われず、飛躍的にセキュリティ性が向上し、製造効率を高い次元で改善することができる。